(57)【要約】      （修正有）【課題】二股に分かれたタッチペンであって、自由に先端距離を調節できるものを提供する。【解決手段】２本の脚部２を有し、これら脚部の後端３が接合され、先端側が解放された入力部４となっている二股タッチペンである。前記２本の脚部２を常態では先端入力部４同士の距離を拡大する方向に付勢する手段を設けている。前記２本の脚部の先端入力部４同士の距離を調節可能に保持する手段も設けることが好ましい。【選択図】図１
0003176662.tif 000002
【実用新案登録請求の範囲】
【請求項１】
２本の脚部（２，２Ａ）を有し、これら脚部の後端（３，３Ａ）が接合され、先端側が解放された入力部（４，４Ａ）となっている二股タッチペンであって、前記２本の脚部（２，２Ａ）を常態では先端入力部（４，４Ａ）同士の距離を拡大する方向に付勢する手段を設けたことを特徴とするタッチパネル用入力補助具（１，１Ａ）。
【請求項２】
前記２本の脚部の先端入力部（４Ａ）同士の距離を調節可能に保持する手段を設けた請求項１記載のタッチパネル用入力補助具（１）。
【請求項３】
前記２本の脚部の先端入力部（４Ａ）同士の距離を調節可能に保持する手段が、前記２本の脚部を少なくとも部分的かつスライド可能に包むキャップ（７）である請求項２記載のタッチパネル用入力補助具（１）。
【請求項４】
前記２本の脚部先端入力部（４，４Ａ）同士の距離を拡大する方向に付勢する手段がバネである請求項１〜３の何れかに記載のタッチパネル用入力補助具（１，１Ａ）。
【請求項５】
使用しないときには、先端入力部（４，４Ａ）同士の距離を最も縮めて前記２本の脚部を閉じてほぼ平行に畳む雌雄係合部を設けた請求項１，２，４の何れかに記載のタッチパネル用入力補助具（１，１Ａ）。
【考案の詳細な説明】
【技術分野】
【０００１】
本考案は、スマートフォンや電子ブック端末等のタッチパネル用入力補助具に関する。特に画面の文字等表示の拡大に使用するペンに関する。
【背景技術】
【０００２】
一般にタッチパネルでの入力は指で行う。指を使用していると、汗や脂で画面が汚れるので、最近、これをタッチペンで置き換えることが行われるようになってきている。
【０００３】
ところで、スマートフォンや電子ブック端末では、表示される文字等が小さくて見づらいとき、画面上で親指と人差し指の距離を広げることにより文字などの表示を拡大させることができる。この表示拡大操作は先端が１本のタッチペンでは行うことができない。
【０００４】
先端が二股に分かれたタッチペン自体は、特開２００９−１５１６８８により公知であるが、これは特殊な目的に使うもので、二股の先端距離を調整することができない。
【考案の概要】
【考案が解決しようとする課題】
【０００５】
本考案は、二股に分かれたタッチペンであって、自由に先端距離を調節できるものを提供することを目的とする。
【課題を解決するための手段】
【０００６】
本発明のタッチパネル用入力補助具は、２本の脚部を有し、これら脚部の後端が接合され、先端側が解放された入力部となっている二股タッチペンであって、前記２本の脚部を常態では先端入力部同士の距離を拡大する方向に付勢する手段を設けたことを特徴とする（請求項１）。
【０００７】
好ましくは、前記２本の脚部の先端入力部同士の距離を調節可能に保持する手段を設ける（請求項２）。
【０００８】
前記２本の脚部の先端入力部同士の距離を調節可能に保持する手段は、例えば前記２本の脚部を少なくとも部分的かつスライド可能に包むキャップである（請求項３）。
【０００９】
前記２本の脚部先端入力部同士の距離を拡大する方向に付勢する手段は、例えばバネである（請求項４）。
【００１０】
好ましくは、使用しないときには、先端入力部同士の距離を最も縮めて前記２本の脚部を閉じてほぼ平行に畳む雌雄係合部を設ける（請求項５）。
【考案の効果】
【００１１】
本考案請求項１によれば、文字等の表示拡大を行うことのできる二股に分かれたタッチペンが得られる。
【００１２】
請求項２，３，４によれば、二股に分かれたタッチペンであって、自由に先端距離を調節できるものが得られる。
【００１３】
請求項５によれば、タッチペンを使用しないときに脚部を折りたたんでコンパクトに収容することができる。
【図面の簡単な説明】
【００１４】
【図１】本考案の実施例に係るタッチペンの使用状態を示す斜視図である。
【図２】図１のタッチペンの拡大斜視図である。
【図３】図１のタッチペンを折りたたんだ状態の（ａ）平面図、（ｂ）左側面図、（ｃ）正面図、（ｄ）右側面図、（ｅ）底面図である。
【図４】第２実施例に係るタッチペンを折りたたんだ状態の（ａ）平面図、（ｂ）正面図、（ｃ）底面図、（ｄ）側面図、（ｅ）キャップを外した状態の側面図、である。
【考案を実施するための形態】
【００１５】
以下、添付の図面に基づき、本発明の実施例を説明する。
【実施例１】
【００１６】
図１〜図３に示すように、本実施例のタッチパネル用入力補助具１は、２本の脚部２を有するタッチペンである。これら脚部２は松葉状であって、後端３は接合され、先端側が解放端部となっている。これらの脚部２は、安全ピンのバネ機構として周知の線細工バネからなる。後端３のコイルバネの作用により常態で脚部先端同士の距離を拡大する方向に付勢されている。
【００１７】
脚部２の最先端は、タッチパネル６に接触することにより、入力可能な入力部４である。入力部４のすぐ隣に位置するのが指を当てて操作するための操作部５である。
【００１８】
このタッチペンを使用するには、操作部５に親指と人差し指を当て、いったん先端入力部４同士の距離を縮めた後、指の力を緩め、バネの復元力を利用して先端同士の距離を拡大させる。この操作は、指で行っていた表示拡大操作と同様の効果を有する。
【００１９】
このタッチペンを使用しないときには、２本の脚部２を閉じておくことが好ましい。この目的で２つの操作部５にはそれぞれ雌係合部５１または雄係合部５２を設けている。この実施例では、雌係合部５１は凹型の「ありみぞ」であり、雄係合部５１は凸型の「あり」である。両者を係合・離脱させるには、操作部５同士を少しずらしながら雌雄係合部５１，５２を嵌めたり、外したりする。
【００２０】
図示しないが、雌雄係合部はさまざまな形態を取ることができる。例えば、面ファスナーやスナップボタンなどそれ自体周知の機構を採用することができる。
【００２１】
また、脚部と操作部を別々の要素として紹介したが、これらは一体化することができる。例えば、脚部を少し太くして操作部を兼用させ、雌雄係合部も脚部表面に設けることができる。
【００２２】
さらに、バネも線細工バネ以外にそれ自体周知のさまざまなバネ機構を採用することができる。
【実施例２】
【００２３】
図４は、本考案の第２実施例である。脚部２Ａ、入力部４Ａは第１実施例と同様である。操作部５Ａには雌雄係合部が設けられていない。その代わりに脚部には取り外し可能なキャップ７が取り付けられている。
【００２４】
キャップ７は万年筆などのキャップと似た形状の筒型のものであり、ポケットなどに取り付け可能なクリップ７１を有する。
【００２５】
キャップ７を脚部２Ａから抜くと第１実施例と同様に操作が可能である。キャップ７を最後尾まで脚部２Ａに嵌め込むと、２本の脚部２Ａは完全に閉じて不使用状態となる。キャップ７を途中まで引き抜くと、入力部４Ａ同士の距離が中途半端な距離で開く。すなわち、使用目的により、入力部４Ａ同士の距離を自由に調節することができる。
【符号の説明】
【００２６】
１     タッチパネル用入力補助具
２     脚部
２Ａ   脚部
３     後端
４     先端入力部
４Ａ   入力部
５     操作部
５１   雌係合部
５１   雄係合部
５Ａ   操作部
６     タッチパネル
７     キャップ
７１   クリップ
【先行技術文献】
【特許文献】
【００２７】
【特許文献１】特開２００９−１５１６８８公報
【図１】
0003176662.tif 000003
【図２】
0003176662.tif 000004
【図３】
0003176662.tif 000005
【図４】
0003176662.tif 000006